(57)【要約】【課題】  通信ネットワーク上に接続されたコンピュータ群を論理的単位でまとめたドメインの間で、当該コンピュータが移行された際に、移行先のドメインの設定に自らのコンピュータの保持する各種プログラムやファイルの設定を、ユーザの労力をかけずに自動的に適合させることができる、ドメイン環境移行制御装置を提供する。【解決手段】  ドメイン移行時（ドメインＡの管理下からドメインＢの管理下に移行される際）に、ユーザの指示に基づいて、識別情報対応表を読み込み、自装置で保持する修正項目データにおいて付与された、移行元ドメイン内識別情報に対応付けられて識別情報対応表で対応付けられている移行先ドメイン内識別情報を読み取る。そして、その移行元ドメイン内識別情報を読み取った移行先ドメイン内識別情報への書き換える処理や読み取った移行先ドメイン内識別情報の修正項目データへの書込みの処理を行なう。【選択図】    図１
2006190157.tif 000002
【特許請求の範囲】
【請求項１】
移行元のドメイン内で管理される管理対象ユーザの移行元ドメイン内識別情報と、移行先のドメイン内で管理される前記管理対象ユーザの移行先ドメイン内識別情報と、を対応付けた識別情報対応表を読み込む識別情報対応表読み込み手段と、
前記移行元ドメイン内識別情報が付与されデータを修正項目データとして記憶する修正項目データ記憶手段と、
前記修正項目データにおいて付与された前記移行元ドメイン内識別情報に対応付けられて前記識別情報対応表で対応付けられている前記移行先ドメイン内識別情報を読み取る移行先ドメイン内識別情報読み取り手段と、
前記移行元ドメイン内識別情報の前記読み取った移行先ドメイン内識別情報への書き換え、または前記読み取った移行先ドメイン内識別情報の前記修正項目データへの書込みのいずれかを行なうドメイン環境移行手段と、
を備えることを特徴とするドメイン環境移行制御装置。
【請求項２】
前記移行元のドメインへのログオン数をカウントする移行元ドメイン環境アクセス数カウント手段と、
前記移行元のドメインへの所定の期間内におけるログオン数が、所定の数より少なくなった場合に、前記修正項目データに付与されている前記移行元ドメイン内識別情報を削除する移行元ドメイン内識別情報削除手段と、
を備えることを特徴とする請求項１に記載のドメイン環境移行制御装置。
【請求項３】
ドメイン環境移行制御装置におけるドメイン環境移行制御方法であって、
ドメイン環境移行制御装置の識別情報対応表読み込み手段が、移行元のドメイン内で管理される管理対象ユーザの移行元ドメイン内識別情報と、移行先のドメイン内で管理される前記管理対象ユーザの移行先ドメイン内識別情報と、を対応付けた識別情報対応表を読み込み、
ドメイン環境移行制御装置の修正項目データ記憶手段が、前記移行元ドメイン内識別情報が付与されデータを修正項目データとして記憶し、
ドメイン環境移行制御装置の移行先ドメイン内識別情報読み取り手段が、前記修正項目データにおいて付与された前記移行元ドメイン内識別情報に対応付けられて前記識別情報対応表で対応付けられている前記移行先ドメイン内識別情報を読み取り、
ドメイン環境移行制御装置のドメイン環境移行手段が、前記移行元ドメイン内識別情報の前記読み取った移行先ドメイン内識別情報への書き換え、または前記読み取った移行先ドメイン内識別情報の前記修正項目データへの書込みのいずれかを行なう
ことを特徴とするドメイン環境移行制御方法。
【請求項４】
ドメイン環境移行制御装置のコンピュータに実行させるプログラムであって、
ドメイン環境移行制御装置の識別情報対応表読み込み手段に、移行元のドメイン内で管理される管理対象ユーザの移行元ドメイン内識別情報と、移行先のドメイン内で管理される前記管理対象ユーザの移行先ドメイン内識別情報と、を対応付けた識別情報対応表を読み込ませる処理と、
ドメイン環境移行制御装置の修正項目データ記憶手段に、前記移行元ドメイン内識別情報が付与されデータを修正項目データとして記憶させる処理と、
ドメイン環境移行制御装置の移行先ドメイン内識別情報読み取り手段に、前記修正項目データにおいて付与された前記移行元ドメイン内識別情報に対応付けられて前記識別情報対応表で対応付けられている前記移行先ドメイン内識別情報を読み取らせる処理と、
ドメイン環境移行制御装置のドメイン環境移行手段に、前記移行元ドメイン内識別情報の前記読み取った移行先ドメイン内識別情報への書き換え、または前記読み取った移行先ドメイン内識別情報の前記修正項目データへの書込みのいずれかを行なわせる処理と、
をコンピュータに実行させるプログラム。
【請求項５】
ドメイン環境移行制御装置のコンピュータに実行させるプログラムを記録する記録媒体であって、
ドメイン環境移行制御装置の識別情報対応表読み込み手段に、移行元のドメイン内で管理される管理対象ユーザの移行元ドメイン内識別情報と、移行先のドメイン内で管理される前記管理対象ユーザの移行先ドメイン内識別情報と、を対応付けた識別情報対応表を読み込ませる処理と、
ドメイン環境移行制御装置の修正項目データ記憶手段に、前記移行元ドメイン内識別情報が付与されデータを修正項目データとして記憶させる処理と、
ドメイン環境移行制御装置の移行先ドメイン内識別情報読み取り手段に、前記修正項目データにおいて付与された前記移行元ドメイン内識別情報に対応付けられて前記識別情報対応表で対応付けられている前記移行先ドメイン内識別情報を読み取らせる処理と、
ドメイン環境移行制御装置のドメイン環境移行手段に、前記移行元ドメイン内識別情報の前記読み取った移行先ドメイン内識別情報への書き換え、または前記読み取った移行先ドメイン内識別情報の前記修正項目データへの書込みのいずれかを行なわせる処理と、
をコンピュータに実行させるプログラムを記録する記録媒体。
【発明の詳細な説明】
【技術分野】
【０００１】
本発明は、通信ネットワーク上に接続されたコンピュータ群を論理的単位でまとめたドメインの間で、当該コンピュータが移行された際に、移行先のドメインの設定に自らのコンピュータの保持する各種プログラムやファイルの設定を適合させる、ドメイン環境移行制御装置およびドメイン環境移行制御方法ならびにそのプログラム、記録媒体に関する。
【背景技術】
【０００２】
通信ネットワーク上に接続されたコンピュータ群の論理的単位をドメインと呼んでいる。ここで、従来より企業などにおいては、通信ネットワークに接続されているコンピュータをドメイン単位で管理しており、例えば、企業内の組織の変更や、コンピュータで利用するＯＳ（Operating System）の変更や、コンピュータ台数の増加などに伴って、一方のドメインで管理していたコンピュータを他方のドメインに移行する作業をおこなうことがある。例えば、ＯＳにWindows（登録商標）を採用しているコンピュータであれば、ドメインコントローラＡによって管理されるドメインＡからドメインコントローラＢによって管理されるドメインＢにコンピュータＸを移行させるといった作業が行なわれる。これによりドメインＢで管理されているコンピュータしかアクセスのできない、当該ドメインＢで管理された他のコンピュータ上のファイルに、コンピュータＸを用いてアクセスすることができるようになる。なお、コンピュータが接続されるネットワークの環境を変更する際に、各種設定を移行先のネットワークに変更する技術が公開されている（例えば、特許文献１参照。）
【特許文献１】特開平６−８３７３４号公報
【発明の開示】
【発明が解決しようとする課題】
【０００３】
上述したように、Windows（登録商標）などのＯＳを利用したコンピュータを用いて構築された通信ネットワークにおいては、当該ＯＳの機能により、一方のドメインの管理下にあるコンピュータが、他方のドメインの管理下にあるコンピュータの保持するファイルにアクセスできないよう自動的に初期設定として設定される。また、特定のドメイン管理下にあるコンピュータは特定の通信ネットワーク上のハードウェア資源（例えばプリンタなど）しか利用できないよう自動的に初期設定として設定される。なお、ドメイン管理者の操作により、管理下でないドメインのハードウェア資源を通信ネットワークを介して利用するよう設定することも可能である。
【０００４】
ところで、これらの設定は、通信ネットワーク上の各コンピュータ（クライアント端末やサーバ）が保持するデータに付与されているが、コンピュータが他のドメイン管理下に移行された際に、その設定を移行先のドメイン環境の設定に変更しなければならない。そして、この設定の変更をしなければ、移行先のドメイン管理化のハードウェア資源にアクセスできないといった問題や、通信ネットワーク上での他コンピュータのデータ通信が不可能になると言った問題が発生することとなる。従って、この設定変更はコンピュータを管理するドメインが変更になった場合には、当該コンピュータ上で必ず行なわなければならない作業となる。
【０００５】
しかしながら、各コンピュータにおいては、上記設定がされているデータが膨大にあり、これを1つずつユーザが手作業によって移行先ドメイン環境の設定に変更しなければならなかったので、ユーザに多大な労力がかかってしまっていた。
【０００６】
そこでこの発明は、通信ネットワーク上に接続されたコンピュータ群を論理的単位でまとめたドメインの間で、当該コンピュータが移行された際に、移行先のドメインの設定に自らのコンピュータの保持する各種プログラムやファイルの設定を、ユーザの労力をかけずに自動的に適合させることができる、ドメイン環境移行制御装置およびドメイン環境移行制御方法ならびにそのプログラム、記録媒体を提供することを目的としている。
【課題を解決するための手段】
【０００７】
本発明は、上述の課題を解決すべくなされたもので、移行元のドメイン内で管理される管理対象ユーザの移行元ドメイン内識別情報と、移行先のドメイン内で管理される前記管理対象ユーザの移行先ドメイン内識別情報と、を対応付けた識別情報対応表を読み込む識別情報対応表読み込み手段と、前記移行元ドメイン内識別情報が付与されデータを修正項目データとして記憶する修正項目データ記憶手段と、前記修正項目データにおいて付与された前記移行元ドメイン内識別情報に対応付けられて前記識別情報対応表で対応付けられている前記移行先ドメイン内識別情報を読み取る移行先ドメイン内識別情報読み取り手段と、前記移行元ドメイン内識別情報の前記読み取った移行先ドメイン内識別情報への書き換え、または前記読み取った移行先ドメイン内識別情報の前記修正項目データへの書込みのいずれかを行なうドメイン環境移行手段と、を備えることを特徴とするドメイン環境移行制御装置である。
【０００８】
また本発明は、上記ドメイン環境移行制御装置が、前記移行元のドメインへのログオン数をカウントする移行元ドメイン環境アクセス数カウント手段と、前記移行元のドメインへの所定の期間内におけるログオン数が、所定の数より少なくなった場合に、前記修正項目データに付与されている前記移行元ドメイン内識別情報を削除する移行元ドメイン内識別情報削除手段と、を備えることを特徴とする。
【０００９】
また本発明は、ドメイン環境移行制御装置におけるドメイン環境移行制御方法であって、ドメイン環境移行制御装置の識別情報対応表読み込み手段が、移行元のドメイン内で管理される管理対象ユーザの移行元ドメイン内識別情報と、移行先のドメイン内で管理される前記管理対象ユーザの移行先ドメイン内識別情報と、を対応付けた識別情報対応表を読み込み、ドメイン環境移行制御装置の修正項目データ記憶手段が、前記移行元ドメイン内識別情報が付与されデータを修正項目データとして記憶し、ドメイン環境移行制御装置の移行先ドメイン内識別情報読み取り手段が、前記修正項目データにおいて付与された前記移行元ドメイン内識別情報に対応付けられて前記識別情報対応表で対応付けられている前記移行先ドメイン内識別情報を読み取り、ドメイン環境移行制御装置のドメイン環境移行手段が、前記移行元ドメイン内識別情報の前記読み取った移行先ドメイン内識別情報への書き換え、または前記読み取った移行先ドメイン内識別情報の前記修正項目データへの書込みのいずれかを行なうことを特徴とするドメイン環境移行制御方法である。
【００１０】
また本発明は、ドメイン環境移行制御装置のコンピュータに実行させるプログラムであって、ドメイン環境移行制御装置の識別情報対応表読み込み手段に、移行元のドメイン内で管理される管理対象ユーザの移行元ドメイン内識別情報と、移行先のドメイン内で管理される前記管理対象ユーザの移行先ドメイン内識別情報と、を対応付けた識別情報対応表を読み込ませる処理と、ドメイン環境移行制御装置の修正項目データ記憶手段に、前記移行元ドメイン内識別情報が付与されデータを修正項目データとして記憶させる処理と、ドメイン環境移行制御装置の移行先ドメイン内識別情報読み取り手段に、前記修正項目データにおいて付与された前記移行元ドメイン内識別情報に対応付けられて前記識別情報対応表で対応付けられている前記移行先ドメイン内識別情報を読み取らせる処理と、ドメイン環境移行制御装置のドメイン環境移行手段に、前記移行元ドメイン内識別情報の前記読み取った移行先ドメイン内識別情報への書き換え、または前記読み取った移行先ドメイン内識別情報の前記修正項目データへの書込みのいずれかを行なわせる処理と、をコンピュータに実行させるプログラムである。
【００１１】
また本発明は、ドメイン環境移行制御装置のコンピュータに実行させるプログラムを記録する記録媒体であって、ドメイン環境移行制御装置の識別情報対応表読み込み手段に、移行元のドメイン内で管理される管理対象ユーザの移行元ドメイン内識別情報と、移行先のドメイン内で管理される前記管理対象ユーザの移行先ドメイン内識別情報と、を対応付けた識別情報対応表を読み込ませる処理と、ドメイン環境移行制御装置の修正項目データ記憶手段に、前記移行元ドメイン内識別情報が付与されデータを修正項目データとして記憶させる処理と、ドメイン環境移行制御装置の移行先ドメイン内識別情報読み取り手段に、前記修正項目データにおいて付与された前記移行元ドメイン内識別情報に対応付けられて前記識別情報対応表で対応付けられている前記移行先ドメイン内識別情報を読み取らせる処理と、ドメイン環境移行制御装置のドメイン環境移行手段に、前記移行元ドメイン内識別情報の前記読み取った移行先ドメイン内識別情報への書き換え、または前記読み取った移行先ドメイン内識別情報の前記修正項目データへの書込みのいずれかを行なわせる処理と、をコンピュータに実行させるプログラムを記録する記録媒体。
【発明の効果】
【００１２】
本発明によれば、ドメイン環境移行制御装置は、ドメイン移行時（ドメインＡの管理下からドメインＢの管理下に移行される際）に、ユーザの指示に基づいて、識別情報対応表を読み込み、自装置で保持する修正項目データにおいて付与された、移行元ドメイン内識別情報に対応付けられて識別情報対応表で対応付けられている移行先ドメイン内識別情報を読み取る。そして、その移行元ドメイン内識別情報を読み取った移行先ドメイン内識別情報への書き換える処理や読み取った移行先ドメイン内識別情報の修正項目データへの書込みの処理を行なう。これにより、ドメイン環境移行制御装置のコンピュータが移行された際に、移行先のドメインの設定に自らのコンピュータの保持する修正項目データ（各種プログラムやファイル）のドメイン環境の設定を、ユーザの労力をかけずに自動的に適合させることができる。また、移行先ドメイン内識別情報を修正項目データが保持する追加の情報として書き込めば、移行先ドメインの管理下に移行されても、移行元ドメインの管理下にログオンすることができるようになる。
【００１３】
また、本発明によれば、ドメイン環境移行制御装置は、移行元のドメインへのログオン数をカウントし、その移行元のドメインへのログオン数が、所定の期間内で所定の数より少なくなった場合には、修正項目データに付与されている移行元ドメイン内識別情報を削除する。これにより、ユーザが移行元ドメイン内にログオンする必要がなくなったことの検出と、その検出以降のユーザの移行元ドメイン内へのログオンを禁止することができるようになる。
【発明を実施するための最良の形態】
【００１４】
以下、本発明の一実施形態によるドメイン環境移行制御装置を図面を参照して説明する。図１は同実施形態によるドメイン環境移行制御装置の構成を示すブロック図である。この図において、符号１はドメイン環境移行制御装置である。このドメイン環境移行制御装置１はＰＣ（Personal Computer）やサーバにおける一部の機能を装置として表したものである。なおドメインとは、通信ネットワーク上に接続されたコンピュータ群の論理的単位である。
【００１５】
ドメイン環境移行制御装置１において、符号１１は、通信ネットワークを介して他の装置とデータの送受信を行う通信処理部１１である。また１２は、ドメイン環境移行制御装置１の各処理部を制御する制御部である。また１３は、自装置内で保持するデータのうち、ドメイン内で管理される管理対象ユーザの識別情報を付与されたデータ（修正項目データ）を記憶する修正項目データ記憶部である。この識別情報は管理されるドメインごとに区別できるように付与されている。例えば、ドメインＡ内で管理される管理対象ユーザの識別情報は「ドメインＡ識別名￥管理対象ユーザ識別名」のように付与され、またドメインＢ内で管理される管理対象ユーザの識別情報は「ドメインＢ識別名￥管理対象ユーザ識別名」のように付与される。
【００１６】
なお管理対象ユーザの識別情報は1人のユーザを表す情報であっても、複数のユーザを表す情報（例えばグループとして管理される複数のユーザを表す情報）であってもよい。ここで、本実施形態においては、ドメイン環境移行制御装置１のコンピュータが、ドメインＡの管理下からドメインＢの管理下に移行する際の処理について述べるが、ドメインＡ内で管理される管理対象ユーザの識別情報のことを移行元ドメイン内識別情報、またドメインＢ内での管理される管理対象ユーザの識別情報のことを移行先ドメイン内識別情報と呼ぶこととする。
【００１７】
またドメイン環境移行制御装置１において、符号１４は、識別情報対応表から移行先ドメイン内識別情報を読み取る移行先ドメイン内識別情報読み取り部である。なお、識別情報対応表についての詳細は後述する。また１５は、自装置の保持する修正項目データに付与されている移行元ドメイン内識別情報を移行先ドメイン内識別情報に書き換えるか、また修正項目データに移行先ドメイン内識別情報を追加で書き込むか、のいずれかを行なうドメイン環境移行部である。また１６は、移行元のドメインへのログオン回数をカウントする移行元ドメイン環境アクセス数カウント部である。また１７は移行元のドメインへのログオン回数が所定の期間に所定の回数以下になった場合に、修正項目データに付与されている移行元ドメイン内識別情報を削除する移行元ドメイン内識別情報削除部である。
【００１８】
図２は識別対応表のデータ例を示す図である。
この図が示すように、識別対応表は、管理対象ユーザの移行先ドメイン内識別情報と移行元ドメイン内識別情報を対応付けた表のデータである。
【００１９】
そして、ドメイン環境移行制御装置１は、ドメイン移行時（ドメインＡの管理下からドメインＢの管理下に移行される際）に、ユーザの指示に基づいて、識別情報対応表を読み込み、自装置で保持する修正項目データにおいて付与された、移行元ドメイン内識別情報に対応付けられて識別情報対応表で対応付けられている移行先ドメイン内識別情報を読み取る。そして、その移行元ドメイン内識別情報を、前記読み取った移行先ドメイン内識別情報へ書き換える処理や、前記読み取った移行先ドメイン内識別情報の修正項目データへの書込みの処理を行なう。
【００２０】
図３は、ドメイン環境移行制御装置の処理フローを示す図である。
次に、ドメイン環境移行制御装置の処理フローについて図３を用いて説明する。
まず、ドメイン環境移行制御装置１を移行元のドメインＡから移行先のドメインＢに移行する際に、ドメイン環境移行制御装置１のユーザは、識別情報対応表の読み込みを指示する。すると、ドメイン環境移行制御装置１の制御部１２が通信処理部１１を介して、通信ネットワーク上のファイルサーバなどから識別情報対応表のデータを読み込む（ステップＳ１）。なお識別情報対応表のデータは記憶媒体（例えばフロッピー（登録商標）ディスク）などから読み込ませるようにしても良い。
【００２１】
次に、ユーザが、ドメイン環境移行制御の開始をドメイン環境移行制御装置１に指示すると、ドメイン環境移行部１５が、修正項目データ記憶部１３に記録されている修正項目データから移行元ドメイン内識別情報を読み取る（ステップＳ２）。そして読み取った移行元ドメイン内識別情報を移行先ドメイン内識別情報読み取り部１４に通知する（ステップＳ３）。次に移行先ドメイン内識別情報読み取り部１４が、通知を受けた移行元ドメイン内識別情報に対応付けられて識別情報対応表に記録されている移行先ドメイン内識別情報を読み取り、ドメイン環境移行部１５に通知する（ステップＳ４）。
【００２２】
そして、ドメイン環境移行部１５は、修正項目データの保持する移行元ドメイン内識別情報を、通知を受けた移行先ドメイン先識別情報に書き換える処理を行なう（ステップＳ５ａ）。なおこのステップ５ａの代わりに、ドメイン環境移行部１５は、通知を受けた移行先ドメイン識別情報を修正項目データが保持する追加の情報として書き込む処理を行う（ステップＳ５ｂ）ようにしても良い。移行元ドメイン内識別情報を移行先ドメイン内識別情報に書き換えてしまうと、移行元のドメインＡにログオンすることができなくなるが、移行先ドメイン内識別情報を修正項目データが保持する追加の情報として書き込めば、移行先のドメインＢの管理下に移行されても、移行元のドメインＡの管理下にログオンすることができるようになる。
【００２３】
そして、ステップＳ５ａ（５ｂ）の後、ステップＳ２からステップＳ５ａ（５ｂ）の処理を修正項目データの数だけ繰り返す。また、修正項目データにおいて、複数の移行元ドメイン内識別情報が保持されている場合には、その全てについて、ステップＳ２からステップＳ５ａ（５ｂ）の処理を繰り返す。
【００２４】
次に、ドメイン環境移行制御装置１において、上述のステップＳ５ａでなくステップＳ５ｂが行なわれた際の、ステップＳ５ｂ後の処理について説明する。
ステップＳ５ｂの後、ドメイン環境移行制御装置１の移行元ドメイン環境アクセス数カウント部１６は、ドメイン環境移行制御装置１のコンピュータが移行元のドメインＡにログオンした回数をカウントして記憶する。そして、移行元ドメイン内識別情報削除部１７が、前記カウントの回数が、予め記憶している所定の期間内に、予め記憶している回数よりも少なくなった場合、つまり、移行元のドメインＡ内へのログオンが減少した際に、修正項目データ記憶部１３から修正項目データを全て読み込み、自装置で記憶している当該修正項目データの保持する移行元ドメイン内識別情報を削除する。これにより、ユーザが移行元のドメインＡ内にログオンする必要がなくなったことの検出と、その検出以降のユーザの移行元のドメインＡ内へのログオンを禁止することができるようになる。
【００２５】
なお、上述のドメイン環境移行制御装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２６】
【図１】ドメイン環境移行制御装置の構成を示すブロック図である。
【図２】識別対応表のデータ例を示す図である。
【図３】ドメイン環境移行制御装置の処理フローを示す図である。
【符号の説明】
【００２７】
１・・・ドメイン環境移行制御装置、１１・・・通信処理部、１２・・・制御部、１３・・・修正項目データ記憶部、１４・・・移行先ドメイン内識別情報読み取り部、１５・・・ドメイン環境移行部、１６・・・移行元ドメイン環境アクセス数カウント部、１７・・・移行元ドメイン内識別情報削除部
【図１】
2006190157.tif 000003
【図２】
2006190157.tif 000004
【図３】
2006190157.tif 000005